(57)【要約】【課題】  ケーブル管理アセンブリ及びそのケーブル管理装置を提供すること。【解決手段】  ケーブル管理装置はケーブル管理アセンブリに適用可能である。ケーブル管理装置は第１のコンポーネント及び第２のコンポーネントを含む。第１のコンポーネントは壁部を含む。第１のコンポーネント及び第２のコンポーネントによってケーブル管理空間が定義される。第２のコンポーネントは第１のコンポーネントに対して開閉するように構成されている。第２のコンポーネントは２つの部分を含む。第１のコンポーネントに対して第２のコンポーネントが閉じている場合、第１のコンポーネントの壁部が第２のコンポーネントの２つの部分の間で係合する。【選択図】  図４
2018026999.tif 000002
【特許請求の範囲】
【請求項１】
底部と、該底部に対して屈曲される壁部とを含む第１のコンポーネントと、
前記第１のコンポーネントに対して開閉するように構成された第２のコンポーネントであって、該第２のコンポーネントは、前記壁部に対応するとともに前記底部の方に延びる２つの部分を含む、第２のコンポーネントと、
を含むケーブル管理装置であって、
前記第１のコンポーネントに対して前記第２のコンポーネントが閉じている場合、前記第１のコンポーネント及び前記第２のコンポーネントによってケーブル管理空間が定義され、前記第１のコンポーネントの壁部が前記第２のコンポーネントの前記２つの部分の間で係合する、ケーブル管理装置。
【請求項２】
前記第１のコンポーネントの壁部は第１の側及び第２の側を有し、該第１の側は第１の係合部を備え、
前記第２のコンポーネントの前記２つの部分はそれぞれ第２の係合部及び補助部であり、
前記第１のコンポーネントに対して前記第２のコンポーネントが閉じている場合、前記第２の係合部は前記第１のコンポーネントの第１の係合部と係合し、前記補助部は前記第１のコンポーネントの壁部の第２の側に隣接して位置する、請求項１に記載のケーブル管理装置。
【請求項３】
前記第１のコンポーネントの壁部の第２の側は第１の側の反対側にある、請求項２に記載のケーブル管理装置。
【請求項４】
前記第２のコンポーネントは前記第１のコンポーネントに対して枢結されている、請求項１に記載のケーブル管理装置。
【請求項５】
前記補助部は第１のガイド部分を含み、
前記第１のコンポーネントに対して前記第２のコンポーネントを閉じるプロセスの間に前記第１のガイド部分は前記第１のコンポーネントの壁部に接触する、請求項２に記載のケーブル管理装置。
【請求項６】
前記第１のガイド部分は傾斜面又は湾曲面を有する、請求項５に記載のケーブル管理装置。
【請求項７】
前記第１のコンポーネント及び前記第２のコンポーネントのうちの一方は、前記第１のコンポーネントに対して前記第２のコンポーネントを閉じるプロセスの間に前記第２のコンポーネントの第２の係合部をガイドして前記第１のコンポーネントの第１の係合部と係合させるための第２のガイド部分を有する、請求項２に記載のケーブル管理装置。
【請求項８】
アーム部と、
前記アーム部に配置されるケーブル管理装置と、
を含むケーブル管理アセンブリであって、
前記ケーブル管理装置は、
壁部を含む第１のコンポーネントであって、該壁部は第１の側及び第２の側を有し、該第１の側は第１の係合部を備える、第１のコンポーネントと、
前記第１のコンポーネントに対して開閉するように構成された第２のコンポーネントであって、該第２のコンポーネントは第２の係合部及び補助部を含む、第２のコンポーネントと、を含み、
前記第１のコンポーネントに対して前記第２のコンポーネントが閉じている場合、前記第２の係合部は前記第１のコンポーネントの第１の係合部と係合し、前記補助部は前記第１のコンポーネントの壁部の第２の側に隣接して位置する、ケーブル管理アセンブリ。
【請求項９】
前記第１のコンポーネントの壁部の第２の側は第１の側の反対側にある、請求項８に記載のケーブル管理アセンブリ。
【請求項１０】
ラックシステムに適用可能なケーブル管理アセンブリであって、該ラックシステムは保持物体をラックに取り付けるための一対のスライドレールアセンブリを含み、該スライドレールアセンブリのそれぞれは第１のレールと、該第１のレールに対して可動な第２のレールとを含み、該第１のレールは前記ラックの一対のポストに取り付けられるように構成され、該第２のレールは前記保持物体を保持するように構成され、当該ケーブル管理アセンブリは、
互いに枢結された２つのアーム部と、
前記２つのアーム部に配置される複数のケーブル管理装置と
を含み、
各前記複数のケーブル管理装置は、
底部と、該底部に対して屈曲される壁部とを含む第１のコンポーネントと、
前記第１のコンポーネントに対して開閉するように構成された第２のコンポーネントであって、該第２のコンポーネントは、前記壁部に対応するとともに前記底部の方に延びる２つの部分を含む、第２のコンポーネントと、を含み、
前記第１のコンポーネントに対して前記第２のコンポーネントが閉じている場合、前記第１のコンポーネントの壁部は前記第２のコンポーネントの前記２つの部分の間で係合する、ケーブル管理アセンブリ。
【発明の詳細な説明】
【技術分野】
【０００１】
本発明はケーブル管理アセンブリに関し、より具体的にはラックシステムに適用可能なケーブル管理アセンブリ及びそのケーブル管理装置に関する。
【背景技術】
【０００２】
一般に、ラックシステムにおいてケーブル管理アセンブリが通常用いられる。具体的には、ラックシステムはラックの複数のポストに取り付けられる一対のスライドレールアセンブリを含む。スライドレールアセンブリのレールは、サーバー等の電気機器を保持するように構成されている。ケーブル管理アセンブリは電子機器のケーブルを保持又は収容し、電子機器がレールを通じてラックに対して動かされた場合にケーブルが整った状態（organized）で維持できるように構成されている。
【０００３】
特許文献１にはケーブル管理アームアセンブリが開示されている。特許文献１の図１には、前方アーム（１１）と、該前方アーム（１１）に対して枢結された後方アーム（１２）とを含むケーブル管理アームアセンブリが図示されている。特許文献１の図１４及び図１５に図示のように、スライドレールアセンブリの外側レール（Ａ）に対する内側レール（Ｃ）の動きに対応して、前方アーム（１１）及び後方アーム（１２）を引っ込めるか又は伸長させることができるように、後方アーム（１２）の端部がスライドレールアセンブリの外側レール（Ａ）に取り付けられ、前方アーム（１１）の端部がスライドレールアセンブリの内側レール（Ｃ）に取り付けられている。複数のケーブル保持器（１５）がケーブルを保持又は収容するためにスライドレールアセンブリのアーム（１１、１２）のそれぞれに配置されている。
【０００４】
図１は先行技術のケーブル保持器を示す図である。具体的には、ケーブル保持器はケーブルベース１００及びカバー１０２を含む。ケーブルベース１００は壁部１０５を有し、壁部１０５は第１の係合部１０６を有する。他方、カバー１０２は第２の係合部１０４を有する。カバー１０２がケーブルベース１００に対して閉じた状態にある場合、第２の係合部１０４は第１の係合部１０６と係合する。しかしながら、図２に示すように、カバー１０２が閉じた状態で、ケーブルベース１００の壁部１０５に力Ｆが内側方向に加えられると、第１の係合部１０６が第２の係合部１０４から外れることがある。したがって、図３に示すように、カバー１０２はケーブルベース１００に対して方向Ｄに沿って自在に開くことができる。
【先行技術文献】
【特許文献】
【０００５】
【特許文献１】米国特許第７５５４８１９号明細書
【特許文献２】米国特許第８６３４１９８号明細書
【特許文献３】米国特許第９０７２１９０号明細書
【特許文献４】米国特許第９４０２３２９号明細書
【発明の概要】
【発明が解決しようとする課題】
【０００６】
従って、異なる動作条件や異なる市場の要求のために、特定の要件を満たす様々な製品を開発する必要がある。
【課題を解決するための手段】
【０００７】
本発明はケーブル管理アセンブリ及びそのケーブル管理装置に関する。ケーブル管理アセンブリのケーブル管理装置はケーブルを収容又は保持するように構成されている。
【０００８】
本発明の一実施形態によれば、ケーブル管理装置は第１のコンポーネント及び第２のコンポーネントを含む。第１のコンポーネントは底部と、該底部に対して屈曲される壁部とを含む。第２のコンポーネントは第１のコンポーネントに対して開閉するように構成されている。第２のコンポーネントは、壁部に対応するとともに底部の方に延びる２つの部分を含む。第１のコンポーネントに対して第２のコンポーネントが閉じている場合、第１のコンポーネント及び第２のコンポーネントによってケーブル管理空間が定義され、第１のコンポーネントの壁部が第２のコンポーネントの２つの部分の間で係合する。
【０００９】
第１のコンポーネントの壁部は第１の側及び第２の側を有することが好ましい。第１の側は第１の係合部を備える。第２のコンポーネントの前記２つの部分はそれぞれ第２の係合部及び補助部である。第１のコンポーネントに対して第２のコンポーネントが閉じている場合、第２の係合部は第１のコンポーネントの第１の係合部と係合し、補助部は第１のコンポーネントの壁部の第２の側に隣接して位置する。
【００１０】
第１のコンポーネントの壁部の第２の側は第１の側の反対側にあることが好ましい。
【００１１】
第２のコンポーネントは第１のコンポーネントに対して枢結されていることが好ましい。
【００１２】
補助部は第１のガイド部分を含むことが好ましい。第１のコンポーネントに対して第２のコンポーネントを閉じるプロセスの間に第１のガイド部分は第１のコンポーネントの壁部に接触する。
【００１３】
第１のガイド部分は傾斜面又は湾曲面を有することが好ましい。
【００１４】
第１のコンポーネント及び第２のコンポーネントのうちの一方は、第１のコンポーネントに対して第２のコンポーネントを閉じるプロセスの間に第２のコンポーネントの第２の係合部をガイドして第１のコンポーネントの第１の係合部と係合させるための第２のガイド部分を有することが好ましい。
【００１５】
本発明の別の実施形態によれば、ケーブル管理アセンブリはアーム部及びケーブル管理装置を含む。ケーブル管理装置はアーム部に配置される。ケーブル管理装置は第１のコンポーネント及び第２のコンポーネントを含む。第１のコンポーネントは壁部を含む。壁部は第１の側及び第２の側を有する。第１の側は第１の係合部を備える。第２のコンポーネントは第１のコンポーネントに対して開閉するように構成されている。第２のコンポーネントは第２の係合部及び補助部を含む。第１のコンポーネントに対して第２のコンポーネントが閉じている場合、第２の係合部は第１のコンポーネントの第１の係合部と係合し、補助部は第１のコンポーネントの壁部の第２の側に隣接して位置する。
【００１６】
本発明の別の実施形態によれば、ケーブル管理アセンブリはラックシステムに適用可能である。ラックシステムは保持物体をラックに取り付けるための一対のスライドレールアセンブリを含む。スライドレールアセンブリのそれぞれは第１のレールと、該第１のレールに対して可動な第２のレールとを含む。第１のレールはラックの一対のポストに取り付けられるように構成されている。第２のレールは保持物体を保持するように構成されている。ケーブル管理アセンブリは２つのアーム部及び複数のケーブル管理装置を含む。２つのアーム部は互いに枢結されている。複数のケーブル管理装置は２つのアーム部に配置される。各ケーブル管理装置は第１のコンポーネント及び第２のコンポーネントを含む。第１のコンポーネントは底部と、該底部に対して屈曲される壁部とを含む。第２のコンポーネントは第１のコンポーネントに対して開閉するように構成されている。第２のコンポーネントは、壁部に対応するとともに底部の方に延びる２つの部分を含む。第１のコンポーネントに対して第２のコンポーネントが閉じている場合、第１のコンポーネントの壁部は第２のコンポーネントの２つの部分の間で係合する。
【００１７】
様々な図面に図示する下記の好ましい実施形態の詳細な説明を読み終えた後、本発明の上記の目的及び他の目的が当業者に間違いなく明らかになる。
【図面の簡単な説明】
【００１８】
【図１】図１は、先行技術のケーブル保持器を示す図であり、ケーブル保持器のカバーがケーブルベースと係合し、カバーがケーブルベースに対して閉じた状態にある。
【図２】図２は、力によって押された先行技術のケーブル保持器のケーブルベースの壁部と、ケーブルベースとの係合が外れたカバーとを示す図である。
【図３】図３は、カバーとケーブルベースとの係合が外れた後にケーブルベースに対して開かれたカバーを示す図である。
【図４】図４は、本発明の一実施形態に係るラックシステムに適用されたケーブル管理アセンブリを示す図である。
【図５】図５は、本発明の一実施形態に係るケーブル管理アセンブリ及びスライドレールアセンブリの分解図である。
【図６】図６は、本発明の一実施形態に係るケーブル管理装置の分解図である。
【図７】図７は、本発明の一実施形態に係るケーブル管理装置を示す図である。
【図８】図８は、図７のケーブル管理装置を別の角度で示す図である。
【図９】図９は、本発明の一実施形態に係る、開いた状態にあるケーブル管理装置を示す図である。
【図１０】図１０は、開いた状態から徐々に閉じられる図９のケーブル管理装置を示す図である。
【図１１】図１１は、閉じた状態にある図１０のケーブル管理装置を示す図である。
【図１２】図１２は、図１１の領域Ａの拡大図である。
【図１３】図１３は、図１１の領域Ｂの拡大図である。
【図１４】図１４は、本発明の一実施形態に係る、閉じた状態から徐々に開かれるケーブル管理装置を示す図である。
【発明を実施するための形態】
【００１９】
図４は本発明の一実施形態に係る、ラックシステムに適用されたケーブル管理アセンブリ２０を示す図である。ラックシステムは第１のスライドレールアセンブリ２２及び第２のスライドレールアセンブリ２３を含む。一対のスライドレールアセンブリ２２、２３は保持物体２４をラック２６に取り付けるように構成されている。ラック２６は一対の第１のポスト２８ａ及び一対の第２のポスト２８ｂを含む。スライドレールアセンブリ２２、２３のそれぞれは第１のレール３０と、第１のレール３０に対して可動な第２のレール３２とを含む。スライドレールアセンブリ２２、２３のそれぞれは、第１のレール３０に対する第２のレール３２の移動距離を延ばすために、第１のレール３０と第２のレール３２との間に可動に取り付けられる第３のレール３３をさらに含むことが好ましい。具体的には、第１のレール３０は第１のブラケット３４及び第２のブラケット３６を通じてそれぞれ第１のポスト２８ａ及び第２のポスト２８ｂに取り付けることができる。他方、第２のレール３２は保持物体２４を保持するように構成されている。本実施形態では、保持物体２４は電子機器である。ケーブル管理アセンブリ２０は支持装置３８をさらに含むことが好ましい。
【００２０】
図５に示すように、ケーブル管理アセンブリ２０は少なくとも１つのアーム部及び少なくとも１つのケーブル管理装置を含む。本実施形態では、ケーブル管理アセンブリ２０は第１のアーム部４０と、第２のアーム部４２と、第１のアーム部４０及び第２のアーム部４２に連結された複数のケーブル管理装置４４とを含む。具体的には、第１のアーム部４０及び第２のアーム部４２は互いに枢結されている。第１のアーム部４０の端部は第１のスライドレールアセンブリ２２の第１のレール３０に連結され、第２のアーム部４２の端部は第１のスライドレールアセンブリ２２の第２のレール３２に連結されている。他方、支持装置３８は第１のスライドレールアセンブリ２２（例えば、第１のスライドレールアセンブリ２２の第３のレール３３）と第２のスライドレールアセンブリ２３（例えば、第２のスライドレールアセンブリ２３の第１のレール３０）との間に取り付けられている。支持装置３８はケーブル管理アセンブリ２０を支持するように構成されている。支持装置３８は第１の支持部材４６と、第１の支持部材４６に対して可動な第２の支持部材４８とを含む。例えば、第２の支持部材４８は伸縮自在（telescopically）に第１の支持部材４６に連結されている。
【００２１】
図６及び図７に示すように、各ケーブル管理装置４４は第１のコンポーネント５０及び第２のコンポーネント５２を含む。第１のコンポーネント５０及び第２のコンポーネント５２はプラスチック又は金属材料等の可撓性材料でできていることが好ましい。本実施形態では、第１のコンポーネント５０がベースで、第２のコンポーネント５２がカバーである。第２のコンポーネント５２は第１のコンポーネント５０に対して開閉可能である。第１のコンポーネント５０に対して第２のコンポーネント５２が閉じている場合、第１のコンポーネント５０及び第２のコンポーネント５２によってケーブル管理空間Ｓが定義される。ケーブル管理空間Ｓは保持物体２４のケーブル（図示せず）を収容するように構成されている。ケーブル管理装置の機能は当業者に周知であるため、さらなる説明は省略する。
【００２２】
第１のコンポーネント５０は壁部５４を含む。本実施形態では、第１のコンポーネント５０は底部５６及び連結部５８をさらに含む。壁部５４及び連結部５８のそれぞれは底部５６に対して屈曲されて底部５６との間で所定の角度を形成する。具体的には、壁部５４、底部５６及び連結部５８はＵ字状構造を形成することができる。第１のコンポーネント５０の形状は一例として図示したものであり、本発明はそのような形状に限定されない。各ケーブル管理装置４４は、第１のコンポーネント５０の連結部５８に配置された複数の係合機構を通じて第１のアーム部４０又は第２のアーム部４２に連結（例えば係合）されている。
【００２３】
第２のコンポーネント５２は第１のコンポーネント５０に対して枢結されている。例えば、第２のコンポーネント５２はシャフト６０により第１のコンポーネント５０の連結部５８に枢結されている。
【００２４】
図８に示すように、第２のコンポーネント５２は第１の部分６２及び第２の部分６４を含む。第２の部分６４が第１の部分６２に対して屈曲されて底部５６の方に延びていることが好ましい。第２のコンポーネント５２は少なくとも１つの補助部６６をさらに含む。本実施形態では、第２のコンポーネント５２は第１の部分６２に配置された２つの補助部６６をさらに含む。２つの補助部６６は第１の部分６２から突出し、底部５６の方に延びている。第１の部分６２に対する２つの補助部６６の突出方向は、第１の部分６２に対する第２の部分６４の屈曲方向と実質的に同じである。
【００２５】
図９に示すように、ケーブル管理装置４４の第１のコンポーネント５０の壁部５４は第１の側６８ａ及び第２の側６８ｂを有する。第２の側６８ｂが第１の側６８ａの反対側であることが好ましい。補助部６６が第１のガイド部分７０を含むことが好ましい。第１のガイド部分７０は傾斜面又は湾曲面を有する。他方、第１のコンポーネント５０の壁部５４の第１の側６８ａは第１の係合部７２を備える。第２のコンポーネント５２は第２の係合部７４を含む。第２の係合部７４は第２のコンポーネント５２の第２の部分６４に配置されている。第１のコンポーネント５０及び第２のコンポーネント５２のうちの少なくとも一方は第２のガイド部分７６を有することが好ましい。本実施形態では、第１のコンポーネント５０の第１の係合部７２及び第２のコンポーネント５２の第２の係合部７４のそれぞれが第２のガイド部分７６を有する。第２のガイド部分７６は傾斜面又は湾曲面を有する。
【００２６】
図９〜図１１に示すように、第１の方向Ｄ１に沿って第１のコンポーネント５０に対して第２のコンポーネント５２を閉じるプロセスの間に、第２のコンポーネント５２の第２の係合部７４は２つの第２のガイド部分７６によってガイドされて第１のコンポーネント５０の第１の係合部７２と係合する。他方、第２のコンポーネント５２の補助部６６の第１のガイド部分７０は、第１のコンポーネント５０に対して第２のコンポーネント５２を閉じるプロセスの間に第１のガイド部分７０がガイド効果を提供できるように第１のコンポーネント５０の壁部５４の第２の側６８ｂと接触する。
【００２７】
図１１に示すように、第２のコンポーネント５２が第１のコンポーネント５０に対して閉じた状態にある場合、第２のコンポーネント５２の第２の係合部７４は第１のコンポーネント５０の第１の係合部７２と係合し、補助部６６は第１のコンポーネント５０の壁部５４の第２の側６８ｂに隣接し且つ対応して位置する。具体的には、閉じた状態にある場合、第１のコンポーネント５０の壁部５４は第２のコンポーネント５２の２つの部分（例えば第２の係合部７４及び補助部６６）の間で係合する。即ち、第２のコンポーネント５２の補助部６の構成により、力Ｆによって第１のコンポーネント５０の壁部５４が内方に押されることに起因して第１の係合部７２と第２の係合部７４との係合が自在に（又は不意に）外れるのを防止できる。
【００２８】
図１２及び図１３に示すように、第２のコンポーネント５２が第１のコンポーネント５０に対して閉じた状態にある場合、第１のコンポーネント５０の壁部５４の第２の側６８ｂ及び補助部６６の間で第１の距離Ｌ１が定義される。他方、第１の係合部７２の前端と第２の係合部７４の前端との間で第２の距離Ｌ２（例えば係合距離）が定義される。第１の距離Ｌ１は第２の距離Ｌ２よりも小さい。即ち、力Ｆによって第１のコンポーネント５０の壁部５４が内方に押された場合に、壁部は、第２の係合部７４に対する第１の係合部７２の可動距離が第２の距離Ｌ２よりも小さくなるように、補助部６６のブロックによって第１の距離Ｌ１の範囲内でのみ柔軟に内側に屈曲することができる。したがって、第１の係合部７２が第２の係合部７４から外れるのを防止できる。
【００２９】
図１４に示すように、第２の係合部７４を第１の係合部７２から外すために、ユーザーは、第２の方向Ｄ２に沿って第１のコンポーネント５０に対して第２のコンポーネント５２を開いて、保持物体２４のケーブルを取り付けるか又は取り出すために第１のコンポーネント５０に対して第２のコンポーネント５２を開いた状態にすることができる（図９参照）。
【００３０】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３１】
２０  ケーブル管理アセンブリ
２２  スライドレールアセンブリ
２３  スライドレールアセンブリ
２４  保持物体
２６  ラック
２８  ポスト
３０  第１のレール
３２  第２のレール
３３  第３のレール
３４  第１のブラケット
３６  第２のブラケット
３８  支持装置
４０  第１のアーム部
４２  第２のアーム部
４４  ケーブル管理装置
４６  第１の支持部材
４８  第２の支持部材
５０  第１のコンポーネント
５２  第２のコンポーネント
５４  壁部
５６  底部
５８  連結部
６０  シャフト
６２  第１の部分
６４  第２の部分
６６  補助部
６８ａ  第１の側
６８ｂ  第２の側
７０  第１のガイド部分
７２  第１の係合部
７４  第２の係合部
７６  第２のガイド部分
【図１】
2018026999.tif 000003
【図２】
2018026999.tif 000004
【図３】
2018026999.tif 000005
【図４】
2018026999.tif 000006
【図５】
2018026999.tif 000007
【図６】
2018026999.tif 000008
【図７】
2018026999.tif 000009
【図８】
2018026999.tif 000010
【図９】
2018026999.tif 000011
【図１０】
2018026999.tif 000012
【図１１】
2018026999.tif 000013
【図１２】
2018026999.tif 000014
【図１３】
2018026999.tif 000015
【図１４】
2018026999.tif 000016
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
底部と、該底部に対して屈曲される壁部とを含む第１のコンポーネントであって、該壁部は第１の側及び第２の側を有し、該第１の側は第１の係合部を備える、第１のコンポーネントと、
前記第１のコンポーネントに対して開閉するように構成された第２のコンポーネントであって、該第２のコンポーネントは、前記壁部に対応するとともに前記底部の方に延びる第２の係合部及び補助部を含む、第２のコンポーネントと、
を含むケーブル管理装置であって、
前記第１のコンポーネントに対して前記第２のコンポーネントが閉じている場合、前記第１のコンポーネント及び前記第２のコンポーネントによってケーブル管理空間が定義され、前記第１のコンポーネントの壁部が前記第２の係合部及び前記補助部の間で係合し、
前記第１のコンポーネントに対して前記第２のコンポーネントが閉じている場合、前記第２の係合部は前記第１のコンポーネントの第１の係合部と係合し、前記補助部は前記第１のコンポーネントの壁部の第２の側に隣接して位置し、
前記補助部に対応する前記壁部の第２の側の部分は傾斜した凹面を有する、ケーブル管理装置。
【請求項２】
前記第１のコンポーネントの壁部の第２の側は第１の側の反対側にある、請求項１に記載のケーブル管理装置。
【請求項３】
前記第２のコンポーネントは前記第１のコンポーネントに対して枢結されている、請求項１に記載のケーブル管理装置。
【請求項４】
前記補助部は第１のガイド部分を含み、
前記第１のコンポーネントに対して前記第２のコンポーネントを閉じるプロセスの間に前記第１のガイド部分は前記第１のコンポーネントの壁部に接触する、請求項１に記載のケーブル管理装置。
【請求項５】
前記第１のガイド部分は傾斜面又は湾曲面を有する、請求項４に記載のケーブル管理装置。
【請求項６】
前記第１のコンポーネント及び前記第２のコンポーネントのうちの一方は、前記第１のコンポーネントに対して前記第２のコンポーネントを閉じるプロセスの間に前記第２のコンポーネントの第２の係合部をガイドして前記第１のコンポーネントの第１の係合部と係合させるための第２のガイド部分を有する、請求項１に記載のケーブル管理装置。
【請求項７】
アーム部と、
前記アーム部に配置されるケーブル管理装置と、
を含むケーブル管理アセンブリであって、
前記ケーブル管理装置は、
壁部を含む第１のコンポーネントであって、該壁部は第１の側及び第２の側を有し、該第１の側は第１の係合部を備える、第１のコンポーネントと、
前記第１のコンポーネントに対して開閉するように構成された第２のコンポーネントであって、該第２のコンポーネントは第２の係合部及び補助部を含む、第２のコンポーネントと、を含み、
前記第１のコンポーネントに対して前記第２のコンポーネントが閉じている場合、前記第２の係合部は前記第１のコンポーネントの第１の係合部と係合し、前記補助部は前記第１のコンポーネントの壁部の第２の側に隣接して位置し、前記補助部に対応する前記壁部の第２の側の部分は傾斜した凹面を有する、ケーブル管理アセンブリ。
【請求項８】
前記第１のコンポーネントの壁部の第２の側は第１の側の反対側にある、請求項７に記載のケーブル管理アセンブリ。
【請求項９】
ラックシステムに適用可能なケーブル管理アセンブリであって、該ラックシステムは保持物体をラックに取り付けるための一対のスライドレールアセンブリを含み、該スライドレールアセンブリのそれぞれは第１のレールと、該第１のレールに対して可動な第２のレールとを含み、該第１のレールは前記ラックの一対のポストに取り付けられるように構成され、該第２のレールは前記保持物体を保持するように構成され、当該ケーブル管理アセンブリは、
互いに枢結された２つのアーム部と、
前記２つのアーム部に配置される複数のケーブル管理装置と
を含み、
各前記複数のケーブル管理装置は、
底部と、該底部に対して屈曲される壁部とを含む第１のコンポーネントであって、該壁部は第１の側及び第２の側を有し、該第１の側は第１の係合部を備える、第１のコンポーネントと、
前記第１のコンポーネントに対して開閉するように構成された第２のコンポーネントであって、該第２のコンポーネントは、前記壁部に対応するとともに前記底部の方に延びる第２の係合部及び補助部を含む、第２のコンポーネントと、を含み、
前記第１のコンポーネントに対して前記第２のコンポーネントが閉じている場合、前記第１のコンポーネントの壁部は前記第２の係合部及び前記補助部の間で係合し、前記補助部に対応する前記壁部の第２の側の部分は傾斜した凹面を有する、ケーブル管理アセンブリ。